(57)【要約】【課題】中綿として遠赤外線繊維を含み、保温性に加え発熱性を有する布団を提供する。【解決手段】羽毛と羽根とを主成分とする中綿７に、カーボンブラックを芯部分にしてアクリル樹脂を鞘部分とした芯鞘構造の遠赤外線繊維を少量添加した布団１は、低価格でソフトな肌触りを有し、かつ体温に反応して熱を発する特性を有するため、寝返りを打ったとしても熱を逃がせにくく保温性を損なうことなく快い寝心地を維持することができる。【選択図】図２
2015228942.tif 000002
【特許請求の範囲】
【請求項１】
布団カバーの中綿に芯鞘構造の遠赤外線繊維を含むことを特徴とする布団。
【請求項２】
前記中綿は羽毛と羽根とを主材料とすることを特徴とする請求項１に記載の布団。
【請求項３】
前記遠赤外線繊維の重量比率が５〜１５％であることを特徴とする請求項２に記載の布団。
【請求項４】
前記羽毛の重量比率が前記羽根の重量比率よりも大きいことを特徴とする請求項３に記載の布団。
【請求項５】
前記遠赤外線繊維のコア部分がカーボンブラックで、鞘部分がアクリル樹脂の芯鞘構造であることを特徴とする請求項１〜請求項４のいずれかに記載の布団。 
【請求項６】
前記布団カバーは立体キルト構造であり、マチで区切られた各小部屋に前記中綿が吹き込み式で装填されていることを特徴とする請求項１〜請求項５のいずれかに記載の布団。
【発明の詳細な説明】
【技術分野】
【０００１】
本発明は、寝返りを打ったとしても寝床内での保温を維持する布団、特に中綿に発熱性を有する繊維を含んだ布団に関するものである。 
【背景技術】
【０００２】
人生の中で多くの時間を費やすことになる睡眠は健康を維持する上で大切な行為であるが、使用する布団の身体への感触性や布団自体が持つ機能は、快い睡眠を確保する上で重要である。その性能の中で、保温性は重要なファクタの一つであるが、ユーザの好みに合せて高級品から廉価版に至るまで各種布団が出てきている。
【０００３】
最近、遠赤外線繊維を繊維中に練り込んだ生地で衣類やスポーツウエアが販売されており、冬場の寒さ対策や運動のウオームアップ用などに使用されているが、布団においても、これら類似材料が用いられつつある。
【０００４】
例えば特許文献１には、軽量で優れた保温力のふとんを得るために、人体に近い側に天然鉱石を練り込んだ遠赤外線繊維層と、その層の上に羽毛からなる羽毛層とからなるふとんが開示されている。
また特許文献２では、遠赤外線繊維の量を抑える目的で、Ｃｕイオンを発生する物質を含む繊維層をセラミックなどの遠赤外線発生物質が含まれる含む天然繊維層に積層する多層ふとんが開示されている。
【先行技術文献】
【特許文献】
【０００５】
【特許文献１】特開平１０−３２８００２号
【特許文献２】特開平９−１６４０５１号
【発明の概要】
【発明が解決しようとする課題】
【０００６】
しかし、特許文献１では、遠赤外線の発熱効果と羽毛による保温効果とをうまく機能分離させたものであるが、身体に近い側にある遠赤外線繊維層によるガサツキ感がでてしまうため、快い寝心地が得られない。
また、特許文献２も、Ｃｕイオンの効果によりヒドロキシイオンの発生を高めて人体の血行をよくするものであるが、それら２つの繊維層のみでは特許文献１同様に人に対して良い感触性を与えないため、それら繊維層を通常の繊維（綿、羊毛、羽毛等）層で囲む構造になってしまうことから、結果として嵩張る構造になる。
そこで、本発明は前述した問題点に鑑みなされたものであり、単純な構造でありながら適度な肌触りを備えて快適な睡眠を与えるとともに、製造面で簡単な布団を提供することを目的とする。
【課題を解決するための手段】
【０００７】
上記課題を解決するため、請求項１の発明にあっては、布団の中綿に芯鞘構造の遠赤外線繊維を含むことを特徴とするものである。
【０００８】
また、請求項２の発明にあっては、前記中綿は羽毛と羽根とを主材料とすることを特徴とするものである。
【０００９】
また、請求項３の発明にあっては、前記遠赤外線繊維の重量比率が５〜１５％であることを特徴とするものである。
【００１０】
また、請求項４の発明にあっては、前記羽毛の重量比率が前記羽根の重量比率よりも大きいことを特徴とするものである。
【００１１】
また、請求項５の発明にあっては、前記遠赤外線繊維のコア部分がカーボンブラックで、鞘部分がアクリル樹脂の芯鞘構造であることを特徴とするものである。
【００１２】
また、請求項６の発明にあっては、前記カバー内に前記中綿が吹き込み式で装填されていることを特徴とするものである。
【発明の効果】
【００１３】
請求項１の発明によれば、布団の中綿に芯鞘構造の遠赤外線繊維を含むため、少量の含有で発熱性を得ることができるとともに、布団としてガサツキ感がでることなく寝返りを打っても保温性を確保できる。
【００１４】
請求項２の発明によれば、中綿として羽毛と羽根とを主な材料とするため、布団として低価格で肌触りもよく保温性にも優れ、快い寝心地を得ることができる。
【００１５】
請求項３の発明によれば、前記遠赤外線繊維の重量比率が５〜１５％であるため、肌触りを損なわず、保温性を確保することができる。
【００１６】
請求項４の発明によれば、前記羽毛の重量比率が前記羽根の重量比率よりも大きいため、肌触りやフィット感を落とさずに、保温性を確保することができる。
【００１７】
請求項５の発明によれば、カーボンブラックによる熱の吸収性が高いことから、他材質に比べ発熱効果を高く保温性を確保することができる。
【００１８】
請求項６の発明によれば、中綿が自動的に装填されるため、人手を殆どかけることなく前記布団を簡単に得ることができる。
【図面の簡単な説明】
【００１９】
【図１】本発明に係る布団の斜視図である。
【図２】本発明に係る布団のＸ−Ｘ断面の概略図である。
【図３】本発明に係る中綿の材料摸式図である。
【発明を実施するための形態】
【００２０】
以下、本発明の実施の形態を図面に基づいて説明する。図１は、本発明に係る布団の斜視図である。布団１は、生地としてポリエステル８０％、綿２０％の布団カバー３の中に中綿７（図３参照）が含まれ、その周囲には側部を封止するための縁材５が取り付けられている。
縁材５には基布としてはポリエステル１００％のものを用い、毛場部分には綿１００％を用いている。
【００２１】
図２は、本発明の布団のＸ−Ｘ断面を示したもので、布団カバー３の中に中綿７が装填される小部屋をつくるためのマチ９が設けられた立体キルト構造であり、両端には縁材５が設けられる。なお、図２の右側の吹き込み口１１から、図示しないノズルを介して左側の小部屋から中綿７が装填されていき、右側で装填が終了する吹き込み式の布団である。
【００２２】
マチ９には中綿を簡単に吹き込むために図示しない穴や切れ目があいているが、本構造では、使用年数とともに徐々に中綿７が隣の小部屋に移ってしまう偏りが発生することがある。それを防止するために、各立体小部屋に特殊な弁を設けてもよい。
【００２３】
図３は、本発明に使用される中綿７に含まれる材料の摸式図を示したもので、羽毛７ａ、羽根７ｂ、芯鞘構造の遠赤外線繊維７ｃから構成される。
ここで、遠赤外線繊維とは体内から発せられる熱を遠赤外線（８〜１６μｍ）に変換して放射させる化合物を含む繊維である。人の体は水やたんぱく質などの高分子で構成されているため、体の中で分子運動しているが、人体に遠赤外線が吸収されると、振動エネルギーとなり体中の分子を激しく振動させることによる発熱効果を有している。
【００２４】
なお、遠赤外線繊維の具体例として、特に限定されるものではないが、三菱レイヨン株式社のコアブリッド（登録商標）があげることができる。本コアブリッドは７ｃに示すように、芯となるカーボンブラックの周囲をアクリル樹脂で包み込んだ芯鞘構造になっており、繊度３．３ｄｔｅｘ、カット長５ｍｍである。カーボンブラックは、セラミック系などの遠赤外線吸収材よりも吸収能力が高く、少量含有でも大きな発熱性を期待できる。また羽毛は、イングランド産ホワイトダックダウンを、羽根はフェザーを用いた。
【００２５】
表１は中綿の材料として、羽毛、羽根、遠赤外線繊維を用いた場合の構成比率の違いによる特性の変化を示したものである。ここでの温度上昇とは、遠赤外線繊維を含まない羽毛と羽根に対して遠赤外線繊維を少量含むことによる温度上昇を、温度センサにて就寝時の人の皮膚温度を測定したもので、１０回測定の平均値で示した。
【００２６】
またドレープ性とは、身体へフィットし、寝返りを打ったときでも冷気の侵入を防ぎ熱を逃がさない度合いを示して高いものが良好と判断し、体感性は肌触りにて、またコストは重量当たりの値段で羽毛、遠赤外線繊維、羽根の順に安くなるものとした。
【００２７】
（実施例１〜１４）
中綿材料として、羽毛、羽根、遠赤外線繊維を用い、それらの重量比率を適度に変化させることで、温度上昇の測定とドレープ性ならびにコストの確認を行った。
（比較例１〜３）
中綿材料として、羽毛と羽根だけで遠赤外線繊維を含まないものを３種類作製し、同様の確認を行った。
【００２８】
表１は温度上昇の度合いとドレープ性と体感性と材料コストとの結果から総合的に評価したものである。総合評価の基準としては、３つの特性で不具合がみられなければ○に、何か一つの特性で何らかの不具合がみられるものの、実使用上良好であれば△に、二つの特性で不具合がみられるものは×、と判断した。
表１から、遠赤外線繊維を含まないものは温度上昇効果が全く得られなかった。また３つの材料系においては、羽毛と羽根の比率として、羽毛の方が多い方が肌触りがよくドレープ性も良く快い寝心地が得られる。
【００２９】
さらに、遠赤外線繊維の重量比率が２０％を超えるとドレープ性が悪くなるため、バランスのとれた布団を得るためには、遠赤外線繊維の重量比率は５〜１５％が好ましいことがわかる。
【００３０】
【表１】
2015228942.tif 000003
【００３１】
以上説明した内容は、発明を実施するための一形態を説明したものであり、上記実施の形態に限定されるものではない。例えば、高級感を優先し、肌触りがソフトで軽量な羽毛と遠赤外線繊維とで構成する布団や、体感性を犠牲にして安価な羽根と遠赤外線繊維とで構成する布団や、更にはその他の材料を添加することが考えられる。また、本発明は、ベッド、ソファー、椅子や枕などの多様な用途に応用が可能である。
【符号の説明】
【００３２】
１        布団
３        布カバー
５        縁材
７        中綿
７ａ      羽毛
７ｂ      羽根
７ｃ      遠赤外線繊維
９        マチ
１１      吹き込み口
【図１】
2015228942.tif 000004
【図２】
2015228942.tif 000005
【図３】
2015228942.tif 000006